(57)【要約】【課題】画像中の関心領域３１０以外の領域を目立たなくさせる技術を提供する。【解決手段】表示部２２８は、画像を表示する。バックライト２２７は、表示部２２８が画像を表示する領域の少なくとも一部の領域における発光輝度を変更可能である。診断領域取得部２０８は、画像における関心領域３１０の指定を受け付ける。バックライト制御部２２６は、画像において少なくとも関心領域３１０を含む第１領域を除外した領域である第２領域に対応するバックライト２２７の発光輝度値を低下させる。【選択図】図２
2017090595.tif 000002
【特許請求の範囲】
【請求項１】
画像を表示する表示手段と、
前記表示手段が前記画像を表示する領域の少なくとも一部の領域における発光輝度を変更可能な発光手段と、
前記画像における関心領域の指定を受け付ける領域取得手段と、
前記画像において少なくとも前記関心領域を含む第１領域を除外した領域である第２領域に対応する前記発光手段の発光輝度値を低下させる制御手段と、
を備えることを特徴とする画像表示装置。
【請求項２】
前記第２領域において前記第１領域から所定の範囲内の境界領域における前記画像の画素値を低下させる画像補正手段をさらに備えることを特徴とする請求項１に記載の画像表示装置。
【請求項３】
前記画像補正手段は、前記表示手段の発光特性と前記境界領域における前記画像の画素値とに基づいて、前記境界領域における前記画像の画素値の低下量を取得することを特徴とする請求項２に記載の画像表示装置。
【請求項４】
前記制御手段は、前記関心領域に含まれる画素に関する情報が変化することを契機として、前記第２領域に対応する領域の発光輝度を変更することを特徴とする請求項１から３のいずれか一項に記載の画像表示装置。
【請求項５】
前記表示手段における前記画像の表示態様を制御する画像表示制御手段をさらに備え、
前記制御手段は、前記表示態様が所定の表示態様の場合、前記画像表示制御手段による前記第２領域に対応する領域の発光輝度の制御を規制することを特徴とする請求項１から４のいずれか一項に記載の画像表示装置。
【請求項６】
前記制御手段は、前記表示態様が、前記関心領域内で画像が操作される表示態様の場合、前記画像表示制御手段による前記第２領域に対応する領域の発光輝度の制御を規制することを特徴とする請求項５に記載の画像表示装置。
【請求項７】
前記発光手段は、前記発光輝度を変更可能な複数の発光素子を有し、
前記制御手段は、前記複数の発光素子のうち一の発光素子による発光の影響が及ぶ発光影響領域が前記関心領域と重なる面積に応じた発光輝度で、前記発光影響領域が前記関心領域と重なる前記一の発光素子を発光させることを特徴とする請求項１から６のいずれか一項に記載の画像表示装置。
【請求項８】
前記関心領域に基づいて、前記第１領域及び前記第２領域を決定する制御領域取得手段をさらに備えることを特徴とする請求項１から７のいずれか一項に記載の画像表示装置。
【請求項９】
前記画像は医用画像であり、前記関心領域は前記医用画像における診断領域であることを特徴とする請求項１から８のいずれか一項に記載の画像表示装置。
【請求項１０】
プロセッサが、
発光輝度を制御可能な画像表示手段に表示された画像における関心領域の指定を受け付けるステップと、
前記画像において少なくとも前記関心領域を含む第１領域を除外した領域である第２領域を取得するステップと、
前記画像表示手段に前記第２領域に対応する領域の発光輝度を低下させるステップと、
を実行することを特徴とする画像表示方法。
【請求項１１】
前記第２領域において前記第１領域から所定の範囲内の境界領域における前記画像の画素値を低下させるステップをさらに含むことを特徴とする請求項１０に記載の画像表示方法。
【請求項１２】
前記画素値を低下させるステップにおいて、前記画像表示手段の発光特性と前記境界領域における前記画像の画素値とに基づいて、前記境界領域における前記画像の画素値の低下量を取得することを特徴とする請求項１１に記載の画像表示方法。
【請求項１３】
前記発光輝度を低下させるステップにおいて、前記関心領域に含まれる画素に関する情報が変化することを契機として、前記第２領域に対応する領域の発光輝度を変更することを特徴とする請求項１０から１２のいずれか一項に記載の画像表示方法。
【請求項１４】
前記画像の表示態様が所定の表示態様の場合は、前記発光輝度を低下させるステップにおける前記第２領域に対応する領域の発光輝度の制御を規制するステップをさらに含むことを特徴とする請求項１０から１３のいずれか一項に記載の画像表示方法。
【請求項１５】
前記発光輝度の制御を規制するステップにおいて、前記表示態様が、前記関心領域内で画像が操作される表示態様の場合は、前記第２領域に対応する領域の発光輝度の制御を規制することを特徴とする請求項１４に記載の画像表示方法。
【請求項１６】
前記画像表示手段に発光する複数の発光素子のうち一の発光素子による発光の影響が及ぶ発光影響領域が前記関心領域と重なる面積に応じた発光輝度で、前記発光影響領域が前記関心領域と重なる前記一の発光素子を発光させるステップをさらに含むことを特徴とする請求項１０から１５のいずれか一項に記載の画像表示方法。
【請求項１７】
前記関心領域に基づいて、前記第１領域及び前記第２領域を決定するステップをさらに含むことを特徴とする請求項１０から１６のいずれか一項に記載の画像表示方法。
【請求項１８】
画像を表示する表示手段が前記画像を表示する領域の少なくとも一部の領域における発光輝度を制御可能な発光手段を制御する画像表示制御装置であって、
前記画像における関心領域の指定を受け付ける領域取得手段と、
前記画像において少なくとも前記関心領域を含む第１領域を除外した領域である第２領域に対応する前記発光手段の輝度値を低下させる制御手段と、
を備えることを特徴とする画像表示制御装置。
【請求項１９】
コンピュータに、
発光輝度を制御可能な画像表示手段に表示された画像における関心領域の指定を受け付ける機能と、
前記画像において少なくとも前記関心領域を含む第１領域を除外した領域である第２領域を取得する機能と、
前記画像表示手段に前記第２領域に対応する領域の発光輝度を低下させる機能と、
を実現させることを特徴とする発光輝度制御プログラム。
【発明の詳細な説明】
【技術分野】
【０００１】
本発明は、画像表示装置、画像表示制御装置、及び画像表示方法に関する。
【背景技術】
【０００２】
医用画像における医師等のユーザによって指定された関心領域内に医用画像を表示させるとともに、医用画像上の関心領域以外の領域については、関心領域の画素の輝度より低い予め定められた輝度でマスクして表示させる技術が知られている。
【先行技術文献】
【特許文献】
【０００３】
【特許文献１】特開２０１１−１１５２６４号公報
【発明の概要】
【発明が解決しようとする課題】
【０００４】
発光手段が照射する光を遮断することによって画像の輝度値を制御する液晶等の表示装置においては、画像を構成する画素の輝度値を落として表示させたとしても発光手段の影響による、いわゆる「黒浮き」が発生する場合がある。このような場合、関心領域以外の領域による黒浮きによって、医師等のユーザが関心領域を観察する際に妨害感を抱くことも起こりうる。
【０００５】
本発明は上述した点に鑑みてなされたものであり、画像内の関心領域以外の領域を目立たなくさせる技術を提供することを目的とする。
【課題を解決するための手段】
【０００６】
上記の課題を解決するために、本発明の画像表示装置は、画像を表示する表示手段と、前記表示手段が前記画像を表示する領域の少なくとも一部の領域における発光輝度を変更可能な発光手段と、前記画像における関心領域の指定を受け付ける領域取得手段と、前記画像において少なくとも前記関心領域を含む第１領域を除外した領域である第２領域に対応する前記発光手段の発光輝度値を低下させる制御手段と、を備えることを特徴とする。
【０００７】
本発明の画像表示方法は、プロセッサが、発光輝度を制御可能な画像表示手段に表示された画像における関心領域の指定を受け付けるステップと、前記画像において少なくとも前記関心領域を含む第１領域を除外した領域である第２領域を取得するステップと、前記画像表示手段に前記第２領域に対応する領域の発光輝度を低下させるステップと、を実行することを特徴とする。
【０００８】
本発明の画像表示制御装置は、画像を表示する表示手段が前記画像を表示する領域の少なくとも一部の領域における発光輝度を制御可能な発光手段を制御する画像表示制御装置である。この装置は、前記画像における関心領域の指定を受け付ける領域取得手段と、前記画像において少なくとも前記関心領域を含む第１領域を除外した領域である第２領域に対応する前記発光手段の輝度値を低下させる制御手段と、を備えることを特徴とする。
【０００９】
本発明のさらに別の態様は、上記の方法の各ステップをコンピュータに実現させるプログラムである。このプログラムは、計算機や表示装置等のハードウェア資源の基本的な制御を行なうために機器に組み込まれるファームウェアの一部として提供されてもよい。このファームウェアは、たとえば、機器内のＲＯＭ（Read Only Memory）やフラッシュメモリなどの半導体メモリに格納される。このファームウェアを提供するため、あるいはファームウェアの一部をアップデートするために、このプログラムを記録したコンピュータ読み取り可能な不揮発性の記録媒体が提供されてもよく、また、このプログラムが通信回線で伝送されてもよい。
【００１０】
なお、以上の構成要素の任意の組合せ、本発明の表現を方法、装置、システム、コンピュータプログラム、データ構造、記録媒体などの間で変換したものもまた、本発明の態様として有効である。
【発明の効果】
【００１１】
本発明によれば、画像内の関心領域以外の領域を目立たなくさせることができる。
【図面の簡単な説明】
【００１２】
【図１】第１の実施の形態に係る画像表示システムの外観を模式的に示す図である。
【図２】第１の実施の形態に係る画像表示システムの機能構成を模式的に示す図である。
【図３】診断領域取得部が実行する診断領域の指定機能及び拡大表示機能を説明するための図である。
【図４】バックライト制御部が処理の単位とするバックライト発光領域を模式的に示す図である。
【図５】バックライト制御部によるバックライトの発光輝度調整処理を説明するための図である。
【図６】関心領域座標で特定される画像領域の輝度に影響を与えるバックライト発光領域を説明するための図である。
【図７】バックライト制御部による輝度調整を説明する図である。
【図８】第１の実施の形態に係る画像表示システムにおいて実行されるバックライト調整処理の流れを説明するフローチャートである。
【図９】第１の実施の形態に係る画像表示制御装置が実行する関心領域取得処理の流れを説明するフローチャートである。
【図１０】第１の実施の形態に係る画像表示装置が実行する関心領域座標の受信処理の流れを説明するフローチャートである。
【図１１】第１の実施の形態に係る画像表示装置が実行する輝度値抑制処理の流れを説明するフローチャートである。
【図１２】第２の実施の形態に係る画像表示システムの機能構成を模式的に示す図である。
【図１３】第２の実施の形態に係る画像表示システムにおいて実行されるバックライト調整処理の流れを説明するフローチャートである。
【図１４】第３の実施の形態に係る画像表示システムの機能構成を模式的に示す図である。
【図１５】第３の実施の形態に係る画像表示システムにおいて実行されるバックライト調整処理の流れを説明するフローチャートである。
【図１６】ビューワの拡大表示機能における種々の状態変化に伴って変更される輝度調整を説明する図である。
【図１７】ビューワにおける種々の表示形式を示す図である。
【図１８】関心領域に含まれる画素に関する情報の変化と関心領域外の領域の輝度値との関係を説明するための図である。
【図１９】関心領域に含まれる画素に関する情報の変化と関心領域外の領域の輝度値との関係を説明するための別の図である。
【発明を実施するための形態】
【００１３】
＜第１の実施の形態＞
［画像表示システムの概要］
本発明の第１の実施の形態に係る画像表示システムは、画像表示光を生成するための発光部材を備える画像表示装置に医用画像を表示する。画像表示装置は、画像表示装置に表示された医用画像における関心領域（Region-Of-Interest : ROI）の指定を、医師等のユーザ（以下、単に「ユーザ」と記載する。）から受け付ける。画像表示システムは、画像表示装置が備える発光部材の発光輝度を制御して、医用画像において関心領域以外の領域の輝度値を低下させる。これにより、ユーザが関心領域の診断に集中でき、読影効率の向上に寄与する。また、関心領域以外の領域の黒浮きも抑制できる。
【００１４】
より具体的には、第１の実施の形態に係る画像表示システムは、医用画像表示用のビューワアプリケーション（以下、単に「ビューワ」と記載する。）を実行可能なワークステーションやＰＣ（Personal Computer）、タブレットＰＣ等、及び液晶モニタ等の表示手段を用いて実現できる。ユーザがビューワを操作して画像中の観察対象とする関心領域を指定すると、画像表示装置は、関心領域を除外した領域に対応するバックライトの発光輝度を低下させる。これにより、関心領域以外の領域の発光によるユーザの妨害感を抑制でき、また画像表示装置の消費電力を低減することができる。
【００１５】
図１は、第１の実施の形態に係る画像表示システム１の外観を模式的に示す図である。画像表示システム１は、画像表示制御装置１０１と画像表示装置１０２とを備える。画像表示装置１０２は、画像表示システム１のユーザが観察するための画像を表示する。画像表示装置１０２は、画像を表示する領域の少なくとも一部の領域において発光輝度を変更可能な発光手段を備える。以下、画像表示装置１０２が液晶ディスプレイである場合について説明する。しかしながら、画像表示装置１０２はバックライトを用いる表示装置であればよく、例えばＭＥＭＳ（Micro Electro Mechanical Systems）シャッター方式の表示パネルを有する表示装置であってもよい。
【００１６】
画像表示制御装置１０１は、ユーザが観察するための画像のデータを画像表示装置１０２に出力したり、画像表示装置１０２のバックライトの発光輝度を制御するために用いられる情報を出力したりする。映像ケーブル１０３は、画像表示制御装置１０１と画像表示装置１０２とを接続するケーブルである。映像ケーブル１０３は、例えばディスプレイポート（Display Port）ケーブルである。通信ケーブル１０４は、画像表示制御装置１０１と画像表示装置１０２とを接続する。通信ケーブル１０４は、画像表示制御装置１０１と画像表示装置１０２との間で各種データの送受信をするためのケーブルである。通信ケーブル１０４は、例えばＵＳＢ（Universal Serial Bus）ケーブルである。
【００１７】
［画像表示システムの機能構成］
図２は、第１の実施の形態に係る画像表示システム１の機能構成を模式的に示す図である。画像表示制御装置１０１は、ＣＰＵ（Central Processing Unit）２０１、映像信号出力部２０２、通信制御部２０３、メモリ２０４、ユーザインタフェース２０５、記録部２０６、及び内部バス２０７を含む。また画像表示装置１０２ は、映像信号入力部２２１、映像信号補正部２２２、通信制御部２２３、制御領域取得部２２４、記録部２２５、バックライト制御部２２６、バックライト２２７、及び表示部２２８を含む。
【００１８】
ＣＰＵ２０１は、後述の記録部２０６に記録されているＯＳ（Operating System）をメモリ２０４に展開して実行することにより、画像表示制御装置１０１が備える各部を制御する。ＣＰＵ２０１はまた、ビューワ等の種々のアプリケーションも実行する。映像信号出力部２０２は、図１に示す映像ケーブル１０３を介して、画像表示装置１０２に映像信号を出力する。通信制御部２０３は、画像表示装置１０２と画像表示制御装置１０１間で各種データの送受信を制御する。
【００１９】
メモリ２０４は、画像表示制御装置１０１において使用される各種データを一時的に記録する。メモリ２０４が記録するデータは、例えば画像表示制御装置１０１が画像表示装置１０２に出力する映像信号や、ＣＰＵ２０１が実行する各種アプリケーションが使用するデータ等である。ユーザインタフェース２０５は、画像表示制御装置１０１に対するユーザからの操作を受け付ける。ユーザインタフェース２０５は、例えばマウス及びキーボード等で実現できる。記録部２０６は、ＯＳや各種アプリケーション、及び当該アプリケーションで用いられるデータ等を記録する。記録部２０６は、例えばハードディスクやＳＳＤ（Solid State Drive）等の不揮発性メモリで実現できる。内部バス２０７は、画像表示制御装置１０１内のブロック間でデータを送受するための伝送用バスである。
【００２０】
続いて画像表示装置１０２について説明する。
映像信号入力部２２１は、画像表示制御装置１０１から送出される映像信号を取得する。映像信号補正部２２２は、映像信号入力部２２１から取得した映像信号を、後述の表示部２２８が表示可能な形式に変換する。バックライト制御部２２６は、映像信号入力部２２１から取得した映像信号に基づいて、バックライト２２７の発光輝度を調整する。第１の実施の形態に係る表示部２２８は液晶表示パネルであり、複数の画素を備える。表示部２２８は、映像信号補正部２２２から取得した映像信号に基づいて画像を表示する。バックライト２２７は、画像を表示部２２８上で再現するための光源であり、複数の発光素子を有する。バックライト２２７は、表示部２２８に対して、複数の発光素子が発する光を照射する。バックライト２２７としては、例えば複数のＬＥＤ（Light Emitting Diode）が用いられるが、輝度を制御可能な光源であればＬＥＤに限られず、例えば有機ＥＬ（Electroluminescence）等の光源によっても実現できる。
【００２１】
バックライト制御部２２６は、映像信号入力部２２１から取得した映像信号に基づいて、所定のバックライト発光領域毎にバックライトの発光輝度を制御する。映像信号補正部２２２は、バックライト制御部２２６によって決定されたバックライトの輝度値に基づいて映像信号を補正する。通信制御部２２３は、通信ケーブル１０４を介して画像表示制御装置１０１の通信制御部２０３と情報を送受信する。制御領域取得部２２４及び記録部２２５は、バックライト制御部２２６及び映像信号補正部２２２の詳細とともに後述する。
【００２２】
次に、ＣＰＵ２０１がプログラムを実行することで実現する各機能について説明する。
ＣＰＵ２０１は、プログラムを実行することにより、診断領域取得機能を提供する診断領域取得部２０８、画像取得機能を提供する画像取得部２０９、画像表示制御機能を提供する画像表示制御部２１０、及び画像合成表示機能を提供する画像合成表示部２１１を実現する。
【００２３】
画像表示制御部２１０は、画像の取得から表示までの画像表示制御全般を処理する。画像表示制御部２１０はまた、ユーザインタフェース２０５を介して取得したユーザからの指示に基づく操作を実行する。画像表示制御部２１０は、例えば上述したビューワである。
【００２４】
画像取得部２０９は、画像表示制御部２１０の指示により、記録部２０６から医用画像を取得する。ここで、「医用画像」とは、様々な医療機器で撮影された画像であり、特にＸ線装置で撮影された画像やＭＲＩ（Magnetic Resonance Imaging）等の核磁気共鳴に関連した画像、及びそれらを加工した画像のことを表す。医用画像は標準規格であるＤＩＣＯＭ（Digital Imaging and Communication in Medicine）に準拠しており、各種検査装置が用いる医用画像フォーマットや検査機器間の通信プロトコル等の情報を含む。
【００２５】
診断領域取得部２０８は、画像取得部２０９が取得した医用画像に対し、ユーザがユーザインタフェース２０５を介して指定した関心領域を取得する。この意味で、診断領域取得部２０８は、ユーザから医用画像における関心領域の指定を受け付ける領域取得手段として機能する。診断領域取得部２０８は、例えばビューワにおける領域指定機能として実現できる。診断領域取得部２０８は、医用画像において関心領域の拡大表示処理、ウィンドウィング（Windowing）処理、及び白黒反転処理等の各種画像処理を施すことができる。
【００２６】
診断領域取得部２０８が受け付けた関心領域を特定するための情報は、画像表示制御部２１０を介して画像合成表示部２１１へ出力される。画像合成表示部２１１は、画像において関心領域をユーザが認識可能となるように、関心領域を例えば矩形形状で表示する。
【００２７】
図３（ａ）−（ｃ）は、診断領域取得部２０８が実行する診断領域の指定機能及び拡大表示機能を説明するための図である。より具体的には、図３（ａ）は、表示部２２８の画面内に、左胸と右胸のＣＣ（Cranio-Caudal）方向のマンモグラフィ画像を並べて配置して表示した場合の例を示す図である。なお、ＣＣは撮影方向が頭尾方向であることを示す。図３（ａ）において、符号３０１、３０２、３０３、及び３０４が示す領域はそれぞれ病変又は病変と疑われる場所を示しており、ユーザが観察対象とする領域である。これらの各領域は、医師等の医療従事者であるユーザが目視で見つけてもよいし、既知のマンモＣＡＤ（Computer-Aided Diagnosis）を利用して自動で検出してもよい。
【００２８】
図３（ｂ）は、ユーザによる関心領域３１０の指定方法を説明するための図である。複数の領域のうち特定の領域を特に注意して観察する場合、ユーザは、観察対象とする場所が含まれるようにユーザインタフェース２０５を介して領域を指定する。図３（ｂ）に示す例では、符号３１０で示す矩形が、ユーザが観察対象とする場所が含まれる関心領域３１０である。なお、図３（ｂ）に示す例では関心領域３１０の形状は矩形であるが、領域を指定する形状は矩形に限定されない。
【００２９】
図３（ｃ）は、診断領域取得部２０８が実行する拡大処理の処理結果を例示する図である。診断領域取得部２０８は、ユーザが指定した関心領域３１０に対して、拡大処理を実行する。診断領域取得部２０８は、ユーザが指定した関心領域３１０を、ユーザインタフェース２０５を介してユーザから取得した拡大率で拡大する。なお、診断領域取得部２０８は、スプライン補間等の既知の画像処理技術を用いることで拡大処理を実現できる。
【００３０】
図３（ｃ）において、符号３１１で示す矩形は、図３（ｂ）に示す関心領域３１０を拡大した拡大関心領域３１１である。ユーザは、ユーザインタフェース２０５に装備されている専用のコントローラによって拡大率を指定してもよい。あるいは、ユーザはビューワ上に装備されるＧＵＩ（Graphical User Interface）によって拡大率を指定してもよい。以上、図３（ａ）、図３（ｂ）、および図３（ｃ）で示したとおり、ユーザが関心領域３１０及び拡大率を所望の値に指定することにより、診断領域取得部２０８による関心領域３１０の拡大表示機能が実現される。
【００３１】
［バックライトの発光輝度の調整］
第１の実施の形態に係る画像表示システム１において、バックライト制御部２２６は、バックライト２２７を複数のバックライト発光領域に分割する。バックライト制御部２２６は、分割した各バックライト発光領域を単位としてバックライトの発光輝度を制御する、いわゆるローカルディミング処理を実行する。
【００３２】
図４は、バックライト制御部２２６が処理の単位とするバックライト発光領域を模式的に示す図である。図４において、０から３１までの３２個の数字は、それぞれバックライト発光領域を表しており、したがってバックライト発光領域は３２個存在する。バックライト制御部２２６は、映像信号入力部２２１から取得した映像信号に基づいて、バックライト発光領域毎にバックライトの発光輝度を調整する。以下、バックライト制御部２２６によるバックライトの発光輝度調整処理についてより詳細に説明する。
【００３３】
図５は、バックライト制御部２２６によるバックライトの発光輝度調整処理を説明するための図である。図５における０から３１までの数字は、図４と同様に、バックライト発光領域を示す。制御領域取得部２２４は、記録部２０６が記録するバックライト発光領域情報を取得する。ここで「バックライト発光領域情報」とは、各バックライト発光領域を特定するための座標情報と、各バックライト発光領域におけるバックライトの発光が影響を与える範囲（以下、「バックライト発光影響領域」という。）を示す情報とを含む情報であり、いわば表示部２２８の発光特性を示す情報である。バックライト発光領域情報は、例えば画像表示装置１０２の製造時または出荷時において、製造業者によって計測され記録部２２５に格納される。
【００３４】
図５は、画像表示装置１０２の表示部２２８の表示解像度が横１９２０ピクセル、横１２００ピクセルの場合の例を示している。図５においてＮ＝１８で示されるバックライト発光領域の座標情報は、（ｘ、ｙ、ｗ、ｈ）＝（４８０、６００、２４０、３００）である。ここで、ｘは表示部２２８のｘ座標、ｙは表示部２２８のｙ座標、ｗはバックライト発光領域の横方向のピクセル数、ｈはバックライト発光領域の縦方向のピクセル数を表す。またｘ座標、ｙ座標はそれぞれ表示部２２８の原点からの画素数で示される。
【００３５】
バックライト発光領域の発光が影響を与える範囲の例としては、図５においてバックライト発光影響領域Ｎｉ＝１８で示された円の領域である。例えば第１の実施の形態に係る表示部２２８は、各バックライト発光領域の中央部に１つのＬＥＤが配置されており、ＬＥＤが発する光を拡散させてバックライト発光領域を形成している。このため、バックライト発光影響領域は円形状となる。ゆえに、バックライト発光領域とバックライト発光影響領域とは、必ずしも一致しない。
【００３６】
制御領域取得部２２４は、通信制御部２２３を介して、画像表示制御装置１０１から画像において関心領域３１０を特定するための座標データ（以下、「関心領域座標」という。）を定期的に取得する。制御領域取得部２２４は、記録部２０６が現在保持している最新の関心領域座標を取得し、画像表示制御装置１０１から取得した関心領域座標と比較する。比較の結果、両者が異なる場合、制御領域取得部２２４は、画像表示制御装置１０１から取得した関心領域座標を新たな関心領域座標として記録部２０６に記憶させる。比較の結果、記録部２０６が記録している関心領域座標と取得した関心領域座標とが同一の場合、制御領域取得部２２４は、関心領域座標を記録部２０６に保存しない。以上を繰り返すことで、制御領域取得部２２４は、座標データの定期取得を継続する。
【００３７】
制御領域取得部２２４は、関心領域座標とバックライト発光領域情報とから、関心領域座標で特定される画像領域の輝度に影響を与えるバックライト発光領域（以下、「干渉バックライト領域」という。）を取得し、記録部２２５に保存する。より具体的には、制御領域取得部２２４は、関心領域座標とバックライト発光領域情報とから、複数のバックライト発光影響領域のうち、少なくとも一部が関心領域３１０と重なるバックライト発光影響領域を特定することにより、干渉バックライト領域を特定する。制御領域取得部２２４は、特定した干渉バックライト領域を第１領域とし、第１領域を除外した領域を第２領域として、記録部２２５に保存する。
【００３８】
図６（ａ）−（ｂ）は、干渉バックライト領域、すなわち第１領域を説明する図である。より具体的には、図６（ａ）は、ユーザが指定した関心領域３１０を示す図である。図６（ｂ）は、関心領域３１０の輝度値に影響を与えるバックライト発光領域である干渉バックライト領域を示す図である。図６（ｂ）において、白色の円の中心を含むバックライト発光領域が上述の第１領域である。また図６（ｂ）において、灰色の円の中心を含むバックライト発光領域は、第２領域である。図６（ｂ）に示す例において第１領域の具体的範囲は、Ｎ＝５、６、１２、１３、１４、２０、２１、及び２２のバックライト発光領域である。図６（ｂ）に示すように、隣り合う干渉バックライト領域同士は重なり合っている。このため、干渉バックライト領域が重なる領域は、重ならない領域よりも明るくなる。
【００３９】
［ハレーションの抑制］
バックライト制御部２２６は、ローカルディミング処理により第２領域のバックライト輝度を現在の輝度より低い値に設定する。この意味で、第２領域は、バックライト制御部２２６による輝度調整の対象となる「バックライト輝度制御対象領域」とも言える。このとき、関心領域３１０と関心領域３１０以外の領域との境界において、調整したバックライト輝度差が生じる。この結果、バックライトが明るい第１領域の光が、バックライトが暗い第２領域に漏れてしまう、いわゆるハレーションが発生することがある。例えば図６（ｂ）に示す例では、１１番目のバックライト発光領域は第２領域であるが、隣接する１２番目のバックライト干渉バックライト領域の影響を受け、ハレーションが発生しうる。
【００４０】
そこで映像信号補正部２２２は、バックライト制御部２２６からバックライト発光領域情報と第２領域を特定する情報を取得する。映像信号補正部２２２は、取得した第２領域において第１領域から所定の範囲内の境界領域における画像の画素値を低下させる画像補正処理を実行する画像補正手段である。所定の範囲とは、第２領域とバックライト発光影響領域とが重なる領域である。
【００４１】
より具体的に、映像信号補正部２２２は、第２領域における画像の画素値に基づいて、その領域における画像の画素値の低下量を算出して取得する。表示部２２８が液晶モニタである場合、画像の画素値は画素を構成する液晶素子の配向角を定め、配向角はバックライトの透過量を定める。したがって、画像の画素値が大きい場合は、小さい場合よりも、その画素において透過するバックライトの光量が多い。そこで映像信号補正部２２２は、第２領域と干渉バックライト領域とが重なる領域の画素値が大きい場合は、小さい場合よりも画素値の低下量を大きくする。これにより、ハレーションの影響を効果的に低減することができる。特に、映像信号補正部２２２は、第２領域上に表示されているアノテーション等の診断関連情報については、その表示範囲の輝度が一定に保たれるように映像信号を補正する。
【００４２】
上述したように、第１領域、すなわち干渉バックライト領域は、ユーザが指定した関心領域３１０を含む領域であり、関心領域３１０よりも広い領域となり得る。そこで映像信号補正部２２２は、第１領域のうち関心領域３１０を除いた領域における画像の画素値を低下してもよい。これにより、関心領域３１０以外の領域が暗くなり、ユーザは関心領域３１０の観察に集中することができる。
【００４３】
図７は、バックライト制御部２２６による輝度調整を説明する図である。より具体的には、図７は、図６（ａ）に示す画像に対してバックライト制御部２２６によるローカルディミング処理と映像信号補正部２２２による輝度調整処理を施した結果を示した図である。図７に示す例は、映像信号補正部２２２が第１領域のうち関心領域３１０を除いた領域における画像の画素値も低下した結果を示している。図７に示すように、関心領域３１０の輝度値は保たれ、関心領域３１０を除く領域の輝度値は関心領域３１０よりも低下している。
【００４４】
［画像表示システムの処理フロー］
図８は、第１の実施の形態に係る画像表示システム１において実行されるバックライト調整処理の流れを説明するフローチャートである。本フローチャートにおける処理は、例えば画像表示制御装置１０１が起動したときに開始する。
【００４５】
画像表示制御装置１０１の診断領域取得部２０８は、ユーザインタフェース２０５を介したユーザの操作に基づいて、関心領域３１０を指定する関心領域座標を取得する（Ｓ８０１）。画像表示制御装置１０１の通信制御部２０３は、診断領域取得部２０８が取得した関心領域座標を画像表示装置１０２へ送信する（Ｓ８０２）。画像表示装置１０２の通信制御部２２３は、画像表示制御装置１０１から関心領域座標を受信する（Ｓ８０３）。画像表示装置１０２は、画像表示制御装置１０１から受信した関心領域座標に基づいて、関心領域３１０以外の領域の輝度値を抑制する（Ｓ８０４）。画像表示装置１０２が関心領域３１０以外の領域の輝度値を抑制する処理を実行すると、本フローチャートにおける処理は終了する。
【００４６】
図９は、第１の実施の形態に係る画像表示制御装置１０１が実行する関心領域取得処理の流れを説明するフローチャートであり、図７におけるステップＳ８０１をより詳細に説明する図である。
【００４７】
診断領域取得部２０８は、表示部２２８が表示する医用画像に対し、ユーザがユーザインタフェース２０５を介して指定した関心領域座標の入力を受け付ける（Ｓ９０１）。続いて診断領域取得部２０８は、ユーザから関心領域３１０の拡大の度合いを示す拡大率の入力を受け付ける（Ｓ９０２）。前述のとおり、ユーザはビューワ上に装備されるＧＵＩを操作して拡大率を指定してもよいし、ユーザインタフェース２０５を操作することで拡大率を指定してもよい。
【００４８】
診断領域取得部２０８は、取得した関心領域座標と拡大率の情報とを内部バス２０７を介して記録部２０６に記録する（Ｓ９０３）。画像合成表示部２１１は、画像表示制御部２１０の制御の下、関心領域座標、拡大率、及び表示部２２８に表示させる画像データに基づいて、関心領域座標内の画像データを指定された拡大率で拡大し、元の画像データに合成する（Ｓ９０４）。
【００４９】
図１０は、第１の実施の形態に係る画像表示装置１０２が実行する関心領域座標の受信処理の流れを説明するフローチャートであり、図７におけるステップＳ８０３を詳細に説明する図である。
【００５０】
画像表示装置１０２の制御領域取得部２２４は、通信制御部２２３を介して画像表示制御装置１０１から送られる関心域座標を取得するため、受信の待機をする（Ｓ１００１）。制御領域取得部２２４は、受信した関心領域座標と、記録部２２５が現在保持している関心領域座標とを比較する（Ｓ１００２）。関心領域座標が異なる場合、すなわち新たな関心領域座標を取得した場合（Ｓ１００３のＹＥＳ）、制御領域取得部２２４は、画像表示制御装置１０１から取得した座標データを新たな座標データとして記録部２２５に保存し、関心領域座標を更新する（Ｓ１００４）。比較の結果、関心領域座標データが一致する場合（Ｓ１００３のＮＯ）、制御領域取得部２２４は、座標データを記録部２２５に保存せずに、ステップＳ１００１に戻って関心領域座標の定期取得を継続する。
【００５１】
制御領域取得部２２４は、記録部２２５を参照してバックライト発光領域情報を取得する（Ｓ１００５）。制御領域取得部２２４は、関心領域座標とバックライト発光領域情報とに基づいて干渉バックライト領域を取得し、記録部２２５に保存する（Ｓ１００６）。なお、第１領域である干渉バックライト領域を除いた領域が第２領域となるため、干渉バックライト領域を特定する情報は、第２領域を特定する情報ともいえる。
【００５２】
図１１は、第１の実施の形態に係る画像表示装置１０２が実行する輝度値抑制処理の流れを説明するフローチャートであり、図７におけるステップＳ８０４を詳細に説明する図である。
【００５３】
バックライト制御部２２６は、記録部２２５から第２領域、すなわちバックライト輝度制御対象領域の情報を取得する（Ｓ１１０１）。バックライト制御部２２６は、取得したバックライト発光領域にローカルディミング処理を実行し、処理対象の領域のバックライト２２７の輝度値を低下させる（Ｓ１１０２）。
【００５４】
［第１の実施の形態の効果］
以上説明したように、第１の実施の形態に係る画像表示システム１は、画像においてユーザが指定した関心領域３１０を除く領域のバックライトの発光輝度を低下させる。これにより、関心領域３１０以外の領域は暗くなるため関心領域３１０以外の領域が目立たなくなり、ユーザは関心領域３１０の観察に集中することができる。
【００５５】
特に、第１の実施の形態に係る画像表示システム１において、バックライト制御部２２６は表示部２２８のバックライト２２７を制御することにより、関心領域３１０以外の領域の表示輝度を調整する。これにより、第１の実施の形態に係る画像表示システム１によれば、表示部２２８の表示特性に応じた輝度調整を実現することができる。
【００５６】
また、バックライト制御部２２６によるバックライト２２７の輝度調整では低減が難しいハレーションの影響を、映像信号補正部２２２が画像の画素値を調整することで抑制する。これにより、ユーザの観察対象である関心領域３１０以外の領域の発光量をより精密に低下させることができる。
【００５７】
＜第２の実施の形態＞
第１の実施の形態においては、画像表示装置１０２が備える制御領域取得部２２４が、バックライト２２７の制御領域を決定した。これに対し、第２の実施の形態においては、画像表示制御装置１０１が画像表示装置１０２からバックライト発光領域情報を取得して、ユーザが指定した関心領域３１０に基づいてバックライト２２７の調整場所及び輝度を計算する点で異なる。以下、第２の形態に係る画像表示システム１を説明するが、第１の実施の形態に係る画像表示システム１と共通する部分については、適宜省略又は簡略化して説明する。
【００５８】
［画像表示システムの機能構成］
図１２は、第２の実施の形態に係る画像表示システム１の機能構成を模式的に示す図である。第２の実施の形態に係る画像表示システム１は、第１の実施の形態に係る画像表示システム１と同様に、画像表示制御装置１０１と画像表示装置１０２とを備える。一方、第２の実施の形態に係る画像表示制御装置１０１は、第１の実施の形態に係る画像表示制御装置１０１と異なり、輝度調整部１２０１を備える。また第２の実施の形態に係る画像表示装置１０２は、第１の実施の形態に係る画像表示装置１０２と異なり、制御領域取得部２２４を備えない。
【００５９】
輝度調整部１２０１は、画像表示制御部２１０、内部バス２０７、及び通信制御部２０３を介して、画像表示装置１０２の記録部２２５から表示部２２８の表示特性を示す情報であるバックライト発光領域情報を取得する。画像表示装置１０２のバックライト制御部２２６は、通信制御部２２３を介して画像表示制御装置１０１から受信したバックライト発光領域情報の取得要求に応答して、記録部２２５から予め保存されているバックライト発光領域情報を取得する。バックライト制御部２２６は、取得したバックライト発光領域情報と現在のバックライト２２７の輝度情報とを、画像表示制御装置１０１の輝度調整部１２０１に送信する。
【００６０】
輝度調整部１２０１は、取得したバックライト発光領域情報とユーザから指定された関心領域３１０を示す関心領域座標とに基づいて、第１領域と第２領域とを取得する。輝度調整部１２０１は、第２領域に対応する画像の画素値に基づいて、バックライト２２７の調整量を計算して取得する。輝度調整部１２０１は、計算したバックライト２２７の輝度の調整量を画像表示装置１０２のバックライト制御部２２６へ出力する。画像表示装置１０２のバックライト制御部２２６は、受信した値に基づいてバックライト輝度を制御する。
【００６１】
［画像表示システムの処理フロー］
図１３は、第２の実施の形態に係る画像表示システム１において実行されるバックライト調整処理の流れを説明するフローチャートである。本フローチャートにおける処理は、例えば画像表示制御装置１０１が起動したときに開始する。
【００６２】
画像表示制御装置１０１の診断領域取得部２０８は、ユーザインタフェース２０５を介したユーザが指定した関心領域３１０を特定する関心領域座標を取得する（Ｓ１３０１）。ステップＳ１３０１における処理の詳細は、図９を参照して説明した図８におけるステップＳ８０１の処理の詳細と同様である。輝度調整部１２０１は、画像表示制御部２１０、内部バス２０７、及び通信制御部２０３を介して、画像表示装置１０２の記録部２２５からバックライト発光領域情報を取得する（Ｓ１３０２）。
【００６３】
輝度調整部１２０１は、関心領域座標とバックライト発光領域情報とに基づいて、第２領域、すなわち画像において関心領域３１０以外の領域を特定する（Ｓ１３０３）。輝度調整部１２０１は、決定した第２領域に対応する画像の輝度が第１領域に対応する画像の輝度より低くなるように、バックライト２２７の輝度値を算出する（Ｓ１３０４）。輝度調整部１２０１は、バックライト２２７の輝度が算出した輝度となるように、バックライト制御要求信号を画像表示装置１０２へ送信する（Ｓ１３０５）。
【００６４】
画像表示装置１０２のバックライト制御部２２６は、通信制御部２２３を介して画像表示制御装置１０１の輝度調整部１２０１から送信されたバックライト制御要求信号を受信する（Ｓ１３０６）。バックライト制御部２２６は、受信したバックライト制御要求信号に基づいて、ローカルディミング処理により、第２領域のバックライト２２７の輝度を現在の輝度より低い値に設定し、第２領域における画像の輝度値制御を実施する（Ｓ１３０７）。このとき、第１の実施の形態に係る画像表示システム１と同様に、映像信号補正部２２２は、第１領域と第２領域との境界において発生するハレーションを抑制するように、映像信号の補正処理を実行してもよい。映像信号補正部２２２はまた、第１領域において関心領域３１０以外の領域の画素値を低下してもよい。
【００６５】
［第２の実施の形態の効果］
以上説明したように、第２の実施の形態に係る画像表示システム１は、第１の実施の形態に係る画像表示システム１と同様に、画像においてユーザ指定した関心領域３１０を除く領域のバックライトの発光輝度を低下させる。これにより、関心領域３１０以外の領域は暗くなるため関心領域３１０以外の領域が目立たなくなり、ユーザは関心領域３１０の観察に集中することができる。
【００６６】
特に、第２実施の形態に係る画像表示システム１は、画像表示制御装置１０１が、バックライト２２７の制御要求信号を生成する。このため、第１の実施の形態に係る画像表示システム１と異なり、第２の実施の形態に係る画像表示システム１においては、画像表示装置１０２はローカルディミング処理が可能な表示装置であれば、既存の表示装置であってもよい。これにより、専用の画像表示装置１０２が不要となるため、画像表示システム１のコストを抑制することができる。
【００６７】
＜第３の実施の形態＞
第１の実施の形態及び第２の実施の形態においては、画像表示制御装置１０１と画像表示装置１０２とがそれぞれ独立した装置であることを前提とした。第３の実施の形態に係る画像表示システム１は、画像表示制御装置１０１が画像表示装置１０２に含まれ、画像表示制御装置１０１と画像表示装置１０２とが一体となっている点で、第１の実施の形態及び第２の実施の形態と異なる。第３の実施の形態に係る画像表示システム１は、例えばノートＰＣやタブレット端末によって実現される。以下、第３の形態に係る画像表示システム１を説明するが、上述の各実施の形態に係る画像表示システム１と共通する部分については、適宜省略又は簡略化して説明する。
【００６８】
［画像表示システムの機能構成］
図１４は、第３の実施の形態に係る画像表示システム１の機能構成を模式的に示す図である。図１４に示すように、第３の実施の形態に係る画像表示システム１は、画像表示制御装置１０１と画像表示装置１０２とが一体である。説明の便宜上、画像表示制御装置１０１が画像表示装置１０２に含まれるものとして説明する。しかしながら、第３の実施の形態に係る画像表示システム１は、画像表示制御装置１０１の一構成要素として画像表示装置１０２を備えることと捉えることもできる。
【００６９】
第３の実施の形態に係る画像表示装置１０２は、上述の各実施の形態に係る画像表示システム１における映像信号出力部２０２、通信制御部２０３、映像信号入力部２２１、及び通信制御部２２３を備えない。その代わり、第３の実施の形態に係る画像表示装置１０２は、映像制御部１４０１を備える。また、上述の各実施の形態における記録部２０６の機能は記録部２２５に統合される。
【００７０】
映像制御部１４０１は、表示部２２８に表示する映像信号を制御する。映像制御部１４０１で処理された映像信号は、映像信号補正部２２２により表示部２２８で表示可能な形式に変換される。映像制御部１４０１はまた、第１の実施の形態に係る制御領域取得部２２４と同様の処理を実行する。すなわち、映像制御部１４０１は、記録部２２５に記録されたバックライト発光領域情報と関心領域情報とに基づいて第１領域と第２領域を決定する。映像制御部１４０１は、決定した第２領域と、第２領域に対応する画像の画素値とに基づいて、第２領域のバックライトの発光輝度値を算出して取得する。
【００７１】
［画像表示システムの処理フロー］
図１５は、第３の実施の形態に係る画像表示システム１において実行されるバックライト調整処理の流れを説明するフローチャートである。本フローチャートにおける処理は、例えば画像表示装置１０２が起動したときに開始する。
【００７２】
画像表示装置１０２の診断領域取得部２０８は、ユーザインタフェース２０５の操作を介してユーザに指定された関心領域座標を記録部２２５に保存する（Ｓ１５０１）。診断領域取得部２０８は、関心領域座標と記録部２２５に記憶されたバックライト発光領域情報とから、上述した第２領域、すなわち関心領域座標で特定される画像領域の輝度に影響を与えるバックライト発光領域を除く領域を取得する（Ｓ１５０２）。バックライト制御部２２６は、ローカルディミング処理により、第２領域のバックライト２２７の輝度を現在の輝度より低い値に設定する（Ｓ１５０３）。このとき、上述の各実施の形態に係る画像表示システム１と同様に、映像信号補正部２２２は、第２領域において第１領域との境界において発生するハレーションを低減するように映像信号を補正する。映像信号補正部２２２はまた、第１領域において関心領域３１０以外の領域の画素値を低下してもよい。
【００７３】
［第３の実施の形態の効果］
以上説明したように、第３の実施の形態に係る画像表示システム１においては、画像においてユーザ指定した関心領域３１０を除く領域のバックライトの発光輝度を低下させる。これにより、関心領域３１０以外の領域は暗くなるため関心領域３１０以外の領域が目立たなくなり、ユーザは関心領域３１０の観察に集中することができる。
【００７４】
特に、第３の実施の形態に係る画像表示システム１は、画像表示装置１０２が上述の各実施の形態に係る画像表示制御装置１０１の機能を含む。画像表示制御装置１０１と画像表示装置１０２とが一体となっているため、両者を結ぶ映像ケーブル１０３や通信ケーブル１０４が不要となり、小型化することができる。
【００７５】
以上、本発明をいくつかの実施の形態をもとに説明した。これらの任意の組み合わせによって生じる新たな実施の形態も、本発明の実施の形態に含まれる。組み合わせによって生じる新たな実施の形態の効果は、もとの実施の形態の効果を合わせ持つ。
また、本発明の技術的範囲は上記実施の形態に記載の範囲には限定されない。上記実施の形態に、多様な変更又は改良を加えることが可能であることが当業者に明らかである。以下そのような実施の形態の変形例について説明する。
【００７６】
＜第１の変形例＞
上述の各実施の形態においては、画像表示システム１が、第１領域のバックライト２２７の発光輝度を保ちつつ、第２領域のバックライト２２７の発光輝度を低下させる場合について説明した。ここでバックライト制御部２２６は、画像の表示態様の変化に応じて、第２領域のバックライト２２７における発光輝度を変化させてもよい。
【００７７】
図１６（ａ）−（ｃ）は、ビューワの拡大表示機能における種々の状態変化に伴って変更される輝度調整を説明する図である。より具体的には、図１６（ａ）は、ビューワにおいて拡大表示機能を実行する前の表示態様を示す図である。図１６（ａ）に示すビューワの表示態様では、ユーザによって拡大表示機能が実行される前であるため、関心領域３１０は特定されない。このため、上述した第２領域におけるバックライト２２７の発光輝度の調整はなされていない。
【００７８】
図１６（ｂ）は、ユーザがユーザインタフェース２０５を介して拡大表示を指示したことにより、拡大表示機能状態に遷移したビューワの画面例を示す図である。図１６（ｂ）に示すビューワの表示態様の例では、ビューワは拡大表示機能を実行中であるため、上述した第２領域におけるバックライト２２７の発光輝度の調整がなされている。つまり、関心領域外領域が診断領域の輝度より低い状態となっている。ユーザがユーザインタフェース２０５を操作することにより、図１６（ｂ）に示すビューワの拡大表示機能状態を終了すると、発光輝度の調整処理も終了してビューワは図１６（ａ）に示す状態に戻る。
【００７９】
一方、図１６（ｃ）は、ユーザがユーザインタフェース２０５を操作することによって関心領域３１０を移動したり、関心領域３１０のサイズを変更したりする間のビューワの表示態様を示す図である。図１６（ｃ）で示すビューワの表示態様は、関心領域３１０の移動又は関心領域３１０のサイズ変更が継続している状態であり、ユーザは関心領域３１０をどこへ移動するか、あるいはどこまで関心領域３１０を広げるかを指定している状態である。このため、ビューワがユーザによる関心領域３１０の移動又はリサイズを受け付けている状態では、バックライト制御部２２６は、第２領域におけるバックライト２２７の発光輝度の調整を規制する。画像全体が明るく表示されるため、ユーザは関心領域３１０の移動先や大きさの変更を決定しやすくなる。
【００８０】
ユーザがユーザインタフェース２０５を操作して関心領域３１０の位置又は関心領域３１０のサイズを指定すると、第２領域におけるバックライト２２７の発光輝度の調整が実行され、ビューワは図１６（ｂ）に示す表示態様に遷移する。またビューワが図１６（ｃ）に示す表示態様のときにユーザがユーザインタフェース２０５を操作することによって拡大表示機能状態を終了すると、発光輝度の調整処理も終了してビューワは図１６（ａ）に示す状態に戻る。
【００８１】
また第１の変形例に係る画像表示システム１のバックライト制御部２２６は、ビューワが所定の表示形式の場合、第２領域におけるバックライト２２７の発光輝度の調整を規制する。以下この場合について説明する。
図１７（ａ）−（ｃ）は、ビューワである画像表示制御部における種々の表示形式を示す図である。より具体的には、図１７（ａ）は、ビューワの４分割表示態様を示す図であり、ＣＣ方向の現在及び過去、ＭＬＯ（Medio-Lateral Oblique）方向の現在及び過去のマンモグラフィ画像を並べて表示している例を示す図である。
【００８２】
図１７（ａ）に示すビューワの表示態様は、並べて表示する各画像に大きな違いがあるか否かをユーザが評価するときに使用される。このため、ビューワが図１７（ａ）に示す４分割表示態様の場合、ユーザが関心領域３１０の拡大機能を指示したとしても、バックライト制御部２２６は、第２領域におけるバックライト２２７の発光輝度の調整を実行しない。
【００８３】
図１７（ｂ）は、ビューワの２分割表示態様を示す図であり、ＣＣ方向のマンモグラフィ画像とＭＬＯ方向のマンモグラフィ画像とを並べて表示している例を示す図である。ビューワが２分割表示態様の場合は、４分割態様の場合と同様に、ユーザが画像における大きな違いの有無を評価するときに使用される表示形式である。このため、ビューワが図１７（ｂ）に示す２分割表示態様の場合、前述実ユーザが関心領域３１０の拡大機能を指示したとしても、バックライト制御部２２６は、第２領域におけるバックライト２２７の発光輝度の調整を規制する。
【００８４】
図１７（ｃ）は、左胸と右胸のＭＬＯ方向又はＣＣ方向のマンモグラフィ画像を表示する表示態様の位置例を示す図である。図１７（ｃ）に示すビューワの表示態様は、図１７（ａ）及び図１７（ｂ）に示すビューワの表示態様とは異なり、ユーザが腫瘤の評価や石灰化の検出や評価をするための表示形式である。このため、ビューワが図１７（ｃ）に示す表示態様の場合、バックライト制御部２２６は、第２領域におけるバックライト２２７の発光輝度の調整を実行する。
【００８５】
以上説明したように、実施の形態の第１の変形例に係る画像表示システム１の画像表示制御部２１０は、種々の表示態様でビューワを表示する。バックライト制御部２２６は、ビューワの表示態様が所定の表示態様のとき、第２領域に対応する領域の発光輝度の制御を規制する。例えば、バックライト制御部２２６は、表示態様が、関心領域３１０内の画像の操作が行われる、関心領域３１０内の画像を拡大したり、関心領域３１０の位置を移動したりするための表示態様である場合、第２領域に対応する領域の発光輝度の制御を規制する。これにより、ユーザによる医用画像の読影作業の効率を向上することができる。
【００８６】
なお、ユーザは、ビューワが実行する機能及びビューワの表示態様に応じて、バックライト制御部２２６が第２領域におけるバックライト２２７の発光輝度の調整を実行するか否かを切り替えられるようにしてもよい。また、上記ではビューワの拡大機能を例としてバックライト制御部２２６による輝度調整の規制を説明したが、バックライト制御部２２６による輝度調整の制御は、ユーザが関心領域３１０を指定可能な機能であれば拡大機能に限定されない。
【００８７】
＜第２の変形例＞
上述の各実施の形態においては、画像表示システム１が、第１領域のバックライト２２７の発光輝度を保ちつつ、第２領域のバックライト２２７の発光輝度を低下させる場合について説明した。ここで関心領域３１０に含まれる画素に関する情報が変化することを契機として、第２領域のバックライト２２７における発光輝度を変更してもよい。
【００８８】
図１８（ａ）−（ｃ）は、関心領域３１０に含まれる画素に関する情報の変化と関心領域外の第２領域の輝度値との関係を説明するための図である。より具体的には、図１８（ａ）は、ビューワの拡大表示機能を実行する前の表示態様を示す図である。また図１８（ｂ）は、ユーザがユーザインタフェース２０５を介して拡大表示を指示したことにより、拡大表示機能状態に遷移したビューワの画面例を示す図である。図１８（ｃ）は、ユーザがユーザインタフェース２０５を介し、関心領域３１０の拡大率を１８（ｂ）に示す例よりも大きくした場合の例を示す図である。
【００８９】
第２の変形例に係るバックライト制御部２２６も、上述の各実施の形態に係るバックライト制御部２２６と同様に、図１８（ｂ）に示すように関心領域３１０の拡大表示時に第２領域のバックライト２２７における発光輝度を低下させる。ここで図１８（ｃ）に示すビューワの例において、ユーザが関心領域３１０の拡大率を大きくしたため、図１８（ｂ）に示すビューワの例よりも関心領域３１０内の画像の平均輝度が低くなったとする。この場合、バックライト制御部２２６は、第２領域のバックライト２２７の発光輝度をさらに低下させる。例えば、バックライト制御部２２６は、図１８（ｂ）で示す例において、第１領域のバックライト２２７の輝度値を１００％としたとき、第２領域のバックライト２２７の輝度値を６０％に低下させたとする。これに対し、バックライト制御部２２６は、図１８（ｃ）で示す例において、第１領域のバックライト２２７の輝度値を１００％としたとき、第２領域のバックライト２２７の輝度値を３０％に低下させる。
【００９０】
このように、第２の変形例に係るバックライト制御部２２６は、関心領域３１０に含まれる画素に関する情報が変化した場合、第２領域に対応する領域の発光輝度を変更する。ここで「関心領域３１０に含まれる画素に関する情報」とは、例えば関心領域３１０に含まれる画素に関する統計情報である。より具体的には、関心領域３１０に含まれる画素の輝度値の平均値、中央値、最頻値、最大値や、関心領域３１０に含まれる画素の数等である。図１８に示す例では、バックライト制御部２２６は、関心領域３１０に含まれる画素の平均輝度値が小さい場合は、大きい場合よりも、第２領域のバックライト２２７の輝度値の抑制量を大きくする。これにより、ユーザは関心領域３１０の観察に集中できるようになる。
【００９１】
なお、関心領域３１０に含まれる画像に関する情報が変化する状況は、ユーザが関心領域３１０の拡大率を変更する場合に限られない。この他にも、例えば関心領域３１０に対してウィンドイング処理が実行される場合にも、関心領域３１０に含まれる画像に関する情報が変化する。
【００９２】
図１９（ａ）−（ｃ）は、関心領域３１０に含まれる画素に関する情報の変化と関心領域外の第２領域の輝度値との関係を説明するための別の図である。より具体的には、図１９（ａ）−（ｃ）は、ビューワが実現するウィンドウィング機能により変化する関心領域３１０内のウィンドウレベル（Window Level）の変化に伴う、関心領域外領域の輝度値の決定方法を説明するための図である。ここで、「ウィンドウィング」とは、ウィンドウレベルとウィンドウ幅（Window Width）とを調節して、ウィンドウ幅を表示部２２８で表示可能な最大の階調数に変換する処理である。なお、「ウィンドウ幅」は、調整の目的とする画素値の範囲を表し、ウィンドウレベルは、ウィンドウ幅の中心の画素値を表す。
【００９３】
図１９（ａ）は、ビューワのウィンドウィング機能を実行する前の表示態様を示す図である。また図１９（ｂ）は、ユーザがユーザインタフェース２０５を介して関心領域３１０のウィンドウィング処理を指示したことにより、ウィンドウィング状態に遷移したビューワの画面例を示す図である。図１９（ｃ）は、ユーザがユーザインタフェース２０５を介し、ウィンドウレベルを１９（ｂ）に示す例よりも下げた場合の例を示す図である。
【００９４】
第２の変形例に係るバックライト制御部２２６も、上述の各実施の形態に係るバックライト制御部２２６と同様に、図１９（ｂ）に示すように、関心領域３１０の拡大表示時に第２領域のバックライト２２７における発光輝度を低下させる。図１９（ｃ）に示すビューワの例は、ユーザがウィンドウィング処理の実行を指示したことにより、図１９（ｂ）に示すビューワの例よりも関心領域３１０内の画像の平均輝度が低くなったとする。この場合、バックライト制御部２２６は、第２領域のバックライト２２７の発光輝度をさらに低下させる。例えば、バックライト制御部２２６は、図１９（ｂ）で示す例において、第１領域のバックライト２２７の輝度値を１００％としたとき、第２領域のバックライト２２７の輝度値を６０％に低下させたとする。これに対し、バックライト制御部２２６は、図１９（ｃ）で示す例において、第１領域のバックライト２２７の輝度値を１００％としたとき、第２領域のバックライト２２７の輝度値を３０％に低下させる。
【００９５】
このように、第２の変形例に係るバックライト制御部２２６は、第１の変形例に係るバックライト制御部２２６と同様に、関心領域３１０に含まれる画素に関する情報が変化した場合、第２領域に対応する領域の発光輝度の制御量を変更する。これにより、ユーザは関心領域３１０の観察に集中できるようになる。
【００９６】
＜第３の変形例＞
上記では、制御領域取得部２２４は、第１領域のバックライト２２７の輝度値を維持し、第２領域のバックライト２２７の輝度値を低下させる場合について説明した。ここで制御領域取得部２２４は、干渉バックライト領域のバックライト２２７の輝度値を、関心領域３１０と重なる面積に応じて変更してもよい。具体的には、ＣＰＵ２０１の制御に基づいて、制御領域取得部２２４は、複数の発光素子のうち一の発光素子による発光の影響が及ぶバックライト発光影響領域が関心領域３１０と重なる面積に応じて、バックライト発光影響領域が関心領域と重なる発光素子の発光輝度値を決定する。
【００９７】
より具体的には、制御領域取得部２２４は、関心領域３１０と重なる面積が狭い干渉バックライト領域は、重なる面積が広い干渉バックライト領域よりも、バックライト２２７の輝度値を低くしてもよい。一般に、関心領域３１０と重複する面積が狭い干渉バックライト領域は、関心領域３１０の周辺領域に位置する領域であると考えられる。したがって、関心領域３１０と重複する面積が狭い干渉バックライト領域のバックライト２２７の輝度値を小さくすることにより、ユーザが感じる関心領域３１０以外の領域の発光による妨害感が減少し、ユーザは関心領域３１０の観察に集中することができる。
【００９８】
＜第４の変形例＞
上記では表示部２２８が表示する画像が医用画像である場合について主に説明した。しかしながら、表示部２２８が表示する画像は医用画像に限られず、人物や風景等の一般写真画像であってもよい。
【符号の説明】
【００９９】
１０１・・・画像表示制御装置
１０２・・・画像表示装置
２０８・・・診断領域取得部
２２６・・・バックライト制御部
２２７・・・バックライト
２２８・・・表示部
【図１】
2017090595.tif 000003
【図２】
2017090595.tif 000004
【図３】
2017090595.tif 000005
【図４】
2017090595.tif 000006
【図５】
2017090595.tif 000007
【図６】
2017090595.tif 000008
【図７】
2017090595.tif 000009
【図８】
2017090595.tif 000010
【図９】
2017090595.tif 000011
【図１０】
2017090595.tif 000012
【図１１】
2017090595.tif 000013
【図１２】
2017090595.tif 000014
【図１３】
2017090595.tif 000015
【図１４】
2017090595.tif 000016
【図１５】
2017090595.tif 000017
【図１６】
2017090595.tif 000018
【図１７】
2017090595.tif 000019
【図１８】
2017090595.tif 000020
【図１９】
2017090595.tif 000021